(57)【要約】【課題】無線通信が困難な環境下においても、ユーザにとって好適な通信装置間の通信を可能とする。【解決手段】無線通信装置２を収納し得るケース２００と、そのケース２００に設けられ、無線通信装置２と通信するための第一の通信部材２３３と、その第一の通信部材２３３と、外部装置３と通信するための第二の通信部材３０１との通信を可能とする伝播部材１００が装着可能な装着部材２４１と、を備える筐体構造。さらに、第二の通信部材３０１と、伝播部材１００と、を備える。具体的には、外部装置は第二の無線通信装置３を含み、第二の通信部材３０１が設けられ、第二の無線通信装置３を収納し得る第二のケース３００を備え、伝播部材１００により、ケース２００と第二のケース３００とが接続される。【選択図】図４
2017011543.tif 000002
【特許請求の範囲】
【請求項１】
無線通信装置を収納し得るケースと、
前記ケースに設けられ、前記無線通信装置と通信するための第一の通信部材と、
前記第一の通信部材と、外部装置と通信するための第二の通信部材との通信を可能とする伝播部材が装着可能な装着部材と、を備えることを特徴とする筐体構造。
【請求項２】
無線通信装置を収納し得るケースと、
前記ケースに設けられ、前記無線通信装置と通信するための第一の通信部材と、
前記第一の通信部材と、外部装置と通信するための第二の通信部材とを接続する伝播部材と、を備えることを特徴とする筐体構造。
【請求項３】
前記外部装置は第二の無線通信装置を含み、
前記第二の通信部材が設けられ、前記第二の無線通信装置を収納し得る第二のケースを備え、
前記伝播部材により、前記ケースと前記第二のケースとが接続されることを特徴とする請求項１または２に記載の筐体構造。
【請求項４】
前記第一の通信部材、及び前記第二の通信部材は、前記外部装置と通信するためのアンテナ部材を含むことを特徴とする請求項１または２に記載の筐体構造。
【請求項５】
前記第一の通信部材は、前記無線通信装置に備えられるアンテナ部材の近傍に位置するよう前記ケースに設けられることを特徴とする請求項１から４のいずれか一項に記載の筐体構造。
【請求項６】
前記ケース、及び前記第二のケースには、前記伝播部材を引張力から保護するための保護部材が設けられることを特徴とする請求項３から５のいずれか一項に記載の筐体構造。
【請求項７】
前記ケースには、前記無線通信装置を前記ケース外部から操作するための入力部材が設けられることを特徴とする請求項１から６のいずれか一項に記載の筐体構造。
【請求項８】
前記ケースには、前記無線通信装置の形状に対応し、前記アンテナ部材の位置を前記ケース内に固定するための固定部材が設けられることを特徴とする請求項５から７のいずれか一項に記載の筐体構造。
【請求項９】
前記無線通信装置、及び前記第二の無線通信装置は、操作部をそれぞれ有するとともに、いずれか一方が撮像部を有して、他方が表示部を有することを特徴とする請求項３から８のいずれか一項に記載の筐体構造。
【請求項１０】
前記ケースには、前記ケース内部への浸水を防ぐ防水機構が設けられることを特徴とする請求項１から９のいずれか一項に記載の筐体構造。
【請求項１１】
前記伝播部材は、前記第一の通信部材と前記第二の通信部材の少なくとも一方と着脱可能に構成されることを特徴とする請求項１から１０のいずれか一項に記載の筐体構造。
【請求項１２】
前記伝播部材は、導線、ケーブル、または金属棒状部材のいずれかを含むことを特徴とする請求項１から１１のいずれか一項に記載の筐体構造。
【請求項１３】
前記第一の通信部材、及び前記第二の通信部材は、複数の周波数に対応可能なパターンアンテナを含むことを特徴とする請求項１から３のいずれか一項に記載の筐体構造。
【請求項１４】
前記無線通信装置と前記第二の無線通信装置は、操作部材と被操作部材の関係となるように構成されることを特徴とする請求項３から１３のいずれか一項に記載の筐体構造。
【請求項１５】
請求項１から１４のいずれか一項に記載の筐体構造を備えることを特徴とする通信装置。
【発明の詳細な説明】
【技術分野】
【０００１】
本発明は、無線通信装置と外部装置との通信を補助するための筐体構造と、その筐体構造を備える通信装置に関する。
【背景技術】
【０００２】
特許文献１において、防水プロテクタに入った通信装置同士を密着させることで、水中において、密着させた防水プロテクタ間に形成される水密状態の空気層を利用して無線通信を行う技術が記載されている。
【先行技術文献】
【特許文献】
【０００３】
【特許文献１】特開２００７−０２８１８８号公報
【発明の概要】
【発明が解決しようとする課題】
【０００４】
しかしながら、特許文献１に記載された技術は、通信装置同士で無線通信を行うために、通信装置を各々入れた両防水プロテクタ間に空気層を設ける必要があった。
つまり、水中のような無線通信が困難な環境下では、通信装置を各々入れた両防水プロテクタ同士を離隔させた状態では、空気層を介さず通信させることができないという問題があった。
【０００５】
本発明の課題は、無線通信が困難な環境下においても、ユーザにとって好適な通信装置間の通信を可能とすることである。
【課題を解決するための手段】
【０００６】
以上の課題を解決するため、本発明は、
無線通信装置を収納し得るケースと、
前記ケースに設けられ、前記無線通信装置と通信するための第一の通信部材と、
前記第一の通信部材と、外部装置と通信するための第二の通信部材との通信を可能とする伝播部材が装着可能な装着部材と、を備える筐体構造を特徴とする。
【発明の効果】
【０００７】
本発明によれば、無線通信が困難な環境下においても、ユーザにとって好適な通信装置間の通信を可能とすることができる。
【図面の簡単な説明】
【０００８】
【図１】本発明を適用した筐体構造の一実施形態の構成を示すもので、防水ケースの概略斜視図（ａ）とその防水ケースに収納する無線通信装置の概略正面図（ｂ）である。
【図２】アンテナケースの概略斜視図（ａ）と第二の無線通信装置を装着した状態を示す図（ｂ）である。
【図３】図１の無線通信装置（撮像装置）と図２の第二の無線通信装置（操作装置）の関係を拡大して示すもので、その撮像装置と操作部材の接続を解除操作した時の平面図（ａ）と、撮像装置と操作装置を接続状態で回動させた時の側面図（ｂ）である。
【図４】図１の防水ケースの平面図（ａ）、その矢印Ｂ−Ｂ線に沿った断面図（ｂ）、正面図（ｃ）、底面図（ｄ）、左側から見た側面図（ｅ）、図（ｃ）の矢印Ｆ−Ｆ線に沿った断面図（ｆ）、右側から見た側面図（ｇ）、及び背面図（ｈ）である。
【図５】図４のリアケースの平面図（ａ）、正面図（ｂ）、底面図（ｃ）、左側から見た側面図（ｄ）、図（ｂ）の矢印Ｅ−Ｅ線に沿った断面図（ｅ）、右側から見た側面図（ｆ）、及び背面図（ｇ）である。
【図６】図２のアンテナケースの平面図（ａ）、その矢印Ｂ−Ｂ線に沿った断面図（ｂ）、手前側から見た端面図（ｃ）、その反対側から見た端面図（ｄ）、左側から見た側面図（ｅ）、図（ｃ）の矢印Ｆ−Ｆ線に沿った断面図（ｆ）、右側から見た側面図（ｇ）、及び底面図（ｈ）である。
【図７】図４のフロントケースに撮像装置を入れる状態を示す平面図である。
【図８】防水ケースとアンテナケースを伝播部材で接続した状態を示す概略斜視図である。
【発明を実施するための形態】
【０００９】
以下、図を参照して本発明を実施するための形態を詳細に説明する。
（実施形態）
図１は本発明を適用した筐体構造の一実施形態の概略構成を示すもので、図１（ａ）に示す防水ケース２００に、図１（ｂ）に示す第一の無線通信装置として無線通信部を備える撮像装置２が収納される。
【００１０】
図２は撮像装置２に対応する第二の無線通信装置として無線通信部を備える操作装置３とそれを装着するアンテナケース３００の関係を示すもので、図２（ａ）に示すアンテナケース３００に、図２（ｂ）に示すように、操作装置３が装着される。
【００１１】
図３は撮像装置２と操作装置３の関係を示すもので、図示のように、レンズ部２１を備える撮像装置２と表示部３１を備える操作装置３とが着脱可能に接続されている。その接続状態において、ヒンジ結合部材４によって、撮像装置２と操作装置３とが回動可能に構成されている。
【００１２】
撮像装置２には、外周壁に沿って電源ボタン２２、シャッターボタン２３、動画撮影開始／終了ボタン２４、接続解除ボタン２５が設けられている。また、レンズ部２１の外周側で、シャッターボタン２３及び動画撮影開始／終了ボタン２４の近傍に動作確認ＬＥＤランプ２６が設けられている。
なお、撮像装置２の筐体は、レンズ部２１を備える側と周壁部が樹脂ケースで、その反対側が金属ケースであり、レンズ部２１の周囲にアンテナ部材２７が内蔵されている。
【００１３】
操作装置３には、その一方の短辺部に着脱用スリット（図示せず）が形成されて、一方の長辺部に電源ボタン３２、シャッターボタン３３、動画撮影開始／終了ボタン３４が設けられて、他方の長辺部に接続解除ボタン３５が設けられている。また、タッチパネルにより構成される入力部３６を備える表示部３１に対し他方の短辺部側に沿ってアンテナ部材３７が内蔵されている。
以上の撮像装置２と操作装置３は無線通信で接続されており、この構成により支持装置は、例えば、ケーブルの長さによる制限といった物理的制約を受けづらいという特徴を備える。
【００１４】
また、ヒンジ結合部材４は、樹脂製のリング状カバー４１と金属プレートによる差し込み部材４２を折り畳み可能に結合したもので、リング状カバー４１が撮像装置２のレンズ部２１側の周囲に着脱可能となっていて、差し込み部材４２が操作装置３の着脱用スリットに挿入可能となっている。
ヒンジ結合部材４は、リング状カバー４１と差し込み部材４２をヒンジ結合部材４を軸として回動させて１８０°まで開いた場合、両端でロックが掛かり、１８０°開いた状態（以下、ストレート状態と呼ぶ）を保持する。
【００１５】
リング状カバー４１は、図示しない複数本の爪とストッパーによってロック可能なバヨネット式結合で撮像装置２と接合され、さらに、リング状カバー４１を回転させることにより撮像装置２の脱着が行える。
また、撮像装置２とリング状カバー４１が接合した後は、撮像装置２内に設けられた図示しないピンによってロックが掛かり、不用意な脱落防止とレンズ画角（縦横位置）の固定が行える。
ピンによるロック状態は、撮像装置２の接続解除ボタン２５を押すことで解除され、リング状カバー４１から撮像装置２を切り離すことができる。
【００１６】
差し込み部材４２は、操作装置３の図示しない前記着脱用スリットに差し込む。これにより、差し込み部材４２は、横長形状の固定用スリット４３において、操作装置３内に設けられた図示しないロック機能により固定されて、操作装置３からの脱落が防止される。
そのロックは、操作装置３の接続解除ボタン３５を押すことで、解除され、図３（ａ）に示すように、差し込み部材４２から操作装置３を切り離すことができる。
【００１７】
さらに、差し込み部材４２には、撮像装置２を所定の設置場所（例えば三脚）に固定するための形状部として、図示しないが、縦長形状の三脚固定用穴が形成されている。
なお、このような三脚に固定するための形状部と、操作装置３に固定させるための形状部は、同一の穴またはスリットであっても、異なる穴やスリット等であってもよい。
【００１８】
以上の撮像装置２と操作装置３のヒンジ結合部材４による接合状態において、撮像装置２と操作装置３の前記ストレート状態では、レンズ部２１と表示部３１が同一面となり、自分撮りに適した状態となる。
そして、例えば図３（ｂ）に示すように、ヒンジ結合部材４により撮像装置２と操作装置３を回転方向ａにおいて任意の角度に回動させることができる。
【００１９】
図４（ａ）から（ｈ）は防水ケース２００の詳細を示すもので、防水ケース２００はフロントケース２１０とリアケース２３０をネジ込み構造の防水機構により合体させるよう構成される。
フロントケース２１０には、図示のように、正面に透明板２１１が防水構造により組み付けられて、外周部の直径方向対向部に突出するボタン台２１２と三脚取付台２１３が設けられている。三脚取付台２１３には三脚取付用ネジ穴２１４及び図示しないがストラップ等を装着可能なストラップホールが形成されている。
【００２０】
そして、ボタン台２１２には、フロントケース２１０に収納する撮像装置２の電源ボタン２２、シャッターボタン２３、動画撮影開始／終了ボタン２４に各々対応し、防水ケース２００の外部からでも入力可能な入力部材として、押しボタンによる電源ボタン２２２、シャッターボタン２２３、動画開始／終了ボタン２２４が防水構造により組み付けられている。
さらに、ボタン台２１２には、フロントケース２１０に収納する撮像装置２の動作確認ＬＥＤランプ２６に対応してその光を外部に透過する動作確認ＬＥＤランプ用窓２２６が防水構造により設けられている。
【００２１】
また、フロントケース２１０の内部には、収納する撮像装置２の外周面に当接する突条部２１５と、撮像装置２の前面外周側に当接する環状突部２１６と、レンズ部２１の周囲に当接する環状突部２１７がそれぞれ形成されている。なお、レンズ部２１の周囲に当接する環状突部２１７の内周面は、光の外乱を防止するために黒色に着色されている。
【００２２】
以上のフロントケース２１０の外周に設けたマーク２１９に、リアケース２３０の外周に設けたスライド構造によるロックレバー２３１を合わせた状態において、時計回りと反時計回りにフロントケース２１０とリアケース２３０を各々９０度回転させてそれぞれネジ込むことが可能である。その９０度回転状態は、ロックレバー２３１のスライド動作によるフロントケース２１０外周へのロック爪の係止により固定される。
上記の構成により、フロントケース２１０とリアケース２３０を夫々回転させる方向を変化させることで、ボタン台２１２とコネクタ装着部材２４１との位置関係を任意に変更することができる。
なお、リアケース２３０の内部には、フロントケース２１０に収納する撮像装置２の背面中央に当接する中央突部２３２が設けられている。
【００２３】
図５（ａ）から（ｇ）はリアケース２３０に更にアンテナ部材２３３を備えたアンテナ付きリアケース２５０の詳細を示すもので、アンテナ付きリアケース２５０には、図示のように、背面側に膨出するコネクタ装着部材２４１が設けられ、このコネクタ装着部材２４１に、防水ケース２００とアンテナケース３００とを接続する伝播部材１００の一端に備えられるコネクタ１２１が着脱可能となっている。
伝播部材１００は、例えば長さが１ｍ、２０ｍ、１００ｍなどで、図示例では、導線、またはケーブルにより構成されているが、金属棒状部材であってもよい。
なお、伝播部材１００の長さは、ユーザの使用用途によって選択可能である。
【００２４】
また、アンテナ付きリアケース２５０の内部には、撮像装置２のアンテナ部材２７に対応する第一の通信部材としてのアンテナ部材２３３が内蔵されている。このアンテナ部材２３３は、コネクタ装着部材２４１の内部に接続されている。
なお、防水ケース２００は、例えば水深２０ｍまで対応可能な防水機能を具備する。
【００２５】
さらに、アンテナ付きリアケース２５０の背面には、伝播部材１００を挟んで保持する一対の突起によるガイド２４３と、伝播部材１００を掛けて保持するフック２４５が設けられている。これらガイド２４３及びフック２４５は、伝播部材１００にかかる引張力を分散させることで伝播部材１００を保護するための保護部材として機能する。
【００２６】
図６（ａ）から（ｈ）はアンテナケース３００の詳細を示すもので、アンテナケース３００には、図示のように、一面側に膨出するコネクタ装着部材３１１が設けられ、このコネクタ装着部材３１１に備えられるコネクタ１３１は、伝播部材１００と着脱可能になるよう構成される。
【００２７】
そして、アンテナケース３００には、操作装置３のアンテナ部材３７に対応する第二の通信部材としてのアンテナ部材３０１が内蔵されている。このアンテナ部材３０１も、コネクタ装着部材３１１の内部に接続されている。
さらに、アンテナケース３００には、表裏両面に金属プレートによる一対の差し込み部材３０３が設けられている。
【００２８】
また、アンテナケース３００のコネクタ装着部材３１１と反対側面には、伝播部材１００を挟んで保持する一対の突起によるガイド３１３と、伝播部材１００を掛けて保持するフック３１５が設けられている。これらガイド３１３及びフック３１５は、伝播部材１００にかかる引張力を分散させることで伝播部材１００を保護するための保護部材として機能する。  なお、コネクタ装着部材３１１の下部には、伝播部材１００の余った部分を掛けて保持する対をなすフック３１７が設けられている。
【００２９】
以上において、防水ケース２００内のアンテナ部材２３３と、アンテナケース３００内のアンテナ部材３０１は、撮像装置２及び操作装置３の使用する周波数に対応して、例えば１／４λの波長で設計されて、複数の周波数に対応可能なパターンアンテナにより構成されるが、金属棒状部材であってもよい。
また、アンテナ部材２３３・３０１は、例えば周波数が２．４ＧＨｚ、５ＧＨｚなど複数種類用意される。
【００３０】
図７はフロントケース２１０に撮像装置２を入れる状態を示すもので、図示のように、フロントケース２１０に撮像装置２を矢印の方向で入れ、フロントケース２１０にアンテナ付きリアケース２５０をネジ込んで固定する。
これにより、撮像装置２の電源ボタン２２、シャッターボタン２３、動画撮影開始／終了ボタン２４及び動作確認ＬＥＤランプ２６に各々対応するよう、電源ボタン２２２、シャッターボタン２２３、動画開始／終了ボタン２２４及び動作確認ＬＥＤランプ用窓２２６がそれぞれ位置している。
【００３１】
そして、フロントケース２１０内部の突条部２１５が撮像装置２の外周面に当接して、環状突部２１６が撮像装置２の前面外周側に当接して、環状突部２１７がレンズ部２１の周囲に当接している。
また、アンテナ付きリアケース２５０内部の中央突部２３２が撮像装置２の背面中央に当接している。
これにより、防水ケース２００内において、撮像装置２が所定位置に固定される。
【００３２】
図８は防水ケース２００とアンテナケース３００を伝播部材１００で接続した状態を示すもので、撮像装置２を収納した防水ケース２００の図８には図示しないコネクタ装着部材２４１に、伝播部材１００の一端のコネクタ１２１を接続する。
また、伝播部材１００の他端のコネクタ１３１をアンテナケース３００のコネクタ装着部材３１１に接続する。
そして、アンテナケース３００のコネクタ装着部材３１１と並ぶ差し込み部材３０３を、操作装置３の図示しない前記着脱用スリットに差し込んで、図２（ｂ）に示すように、アンテナケース３００上に操作装置３を装着する。
【００３３】
このように、撮像装置２を防水ケース２００内に収納した状態においては、撮像装置３のアンテナ部材２７と防水ケース２００内のアンテナ部材２３３とが接近位置にあるので、両アンテナ部材２７・２３３間の無線通信は良好になされる。
同様に、操作装置３をアンテナケース３００上に装着した状態において、操作装置３のアンテナ部材３７とアンテナケース３００内のアンテナ部材３０１とが接近位置にあるので、両アンテナ部材３７・３０１間の無線通信は良好になされる。
【００３４】
そして、ユーザが防水ケース２００を片手で持って水中に入れて、水上において、アンテナケース３００を他方の片手で持って表示部３１を見ながら、操作装置３の電源ボタン３２、シャッターボタン３３、動画撮影開始／終了ボタン３４を各々操作して水中撮影を行うことができる。
その水中撮影の際、防水ケース２００とアンテナケース３００が近距離で、そのアンテナ部材２３３・３０１をつなぐ伝播部材１００が短いため、減衰がほとんどない無線通信を行うことができる。
【００３５】
さらに、伝播部材１００の両端のコネクタ１２１・１３１が着脱可能なため、長さの違う伝播部材１００を付け替えて、例えば２０ｍの伝播部材１００で釣りの水中撮影に使用する等様々な使い方が可能になる。
なお、水中ケース２００の三脚取付台２１３の三脚取付用ネジ穴２１４を利用して錘を取り付けて、水中に撮像装置２のボタン台２１２が上向きになるようにして沈めることも可能である。
【００３６】
また、防水ケース２００には、アンテナ付きリアケース２５０の背面に伝播部材１００を挟んで保持する一対の突起によるガイド２４３と、伝播部材１００を掛けて保持するフック２４５があるので、伝播部材１００をガイド２４３及びフック２４５により保持して、落下時の衝撃による引張力から保護することができる。従って、コネクタ１２１の破損を防止することができる。
同様に、アンテナケース３００にも、コネクタ装着部材３１１と反対側面に伝播部材１００を挟んで保持する一対の突起によるガイド３１３と、伝播部材１００を掛けて保持するフック３１５があるので、伝播部材１００をガイド３１３及びフック３１５により保持して、落下時の衝撃による引張力から保護することができる。従って、コネクタ１３１の破損を防止することができる。
【００３７】
以上、実施形態の筐体構造によれば、撮像装置２を収納する防水ケース２００に、撮像装置２と無線通信するアンテナ部材２３３と、そのアンテナ部材２３３に対し、アンテナケース３００上に装着する操作装置３と無線通信するアンテナ部材３０１に接続する伝播部材１００が装着される装着部材２４１と、を備えるので、撮像装置２を入れた防水ケース２００を水中に入れて行う水中撮影による無線通信が困難な環境下においても、ユーザにとって好適な無線通信を可能とすることができる。  
【００３８】
（変形例）
以上の実施形態においては、無線アンテナを内蔵する撮像装置及び操作装置としたが、本発明はこれに限定されるものではなく、携帯電話や無線アンテナを備えるＰＣやタブレットやゲーム機など他の無線通信装置であってもよい。
また、ケースに備える通信部材は、実施形態のアンテナ部材の他、無線通信装置に接続可能な有線の接続端子であってもよい。
さらに、無線通信機器の台数等も任意であり、その他、具体的な細部構造等についても適宜に変更可能であることは勿論である。
【００３９】
先に出願した特願２０１５−０８８９８０号に記載した棒状部材に本実施例に記載の防水ケースを接続することで操作者が水に濡れずに水中撮影が可能となる。
【００４０】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
無線通信装置を収納し得るケースと、
前記ケースに設けられ、前記無線通信装置と通信するための第一の通信部材と、
前記第一の通信部材と、外部装置と通信するための第二の通信部材との通信を可能とする伝播部材が装着可能な装着部材と、を備えることを特徴とする筐体構造。
＜請求項２＞
無線通信装置を収納し得るケースと、
前記ケースに設けられ、前記無線通信装置と通信するための第一の通信部材と、
外部装置と通信するための第二の通信部材と、
前記第一の通信部材と前記第二の通信部材とを接続する伝播部材と、を備えることを特徴とする筐体構造。
＜請求項３＞
前記外部装置は第二の無線通信装置を含み、
前記第二の通信部材が設けられ、前記第二の無線通信装置を収納し得る第二のケースを備え、
前記伝播部材により、前記ケースと前記第二のケースとが接続されることを特徴とする請求項１または２に記載の筐体構造。
＜請求項４＞
前記第一の通信部材、及び前記第二の通信部材は、前記外部装置と通信するためのアンテナ部材を含むことを特徴とする請求項１または２に記載の筐体構造。
＜請求項５＞
前記第一の通信部材は、前記無線通信装置に備えられるアンテナ部材の近傍に位置するよう前記ケースに設けられることを特徴とする請求項１から４のいずれか一項に記載の筐体構造。
＜請求項６＞
前記ケース、及び前記第二のケースには、前記伝播部材を引張力から保護するための保護部材が設けられることを特徴とする請求項３から５のいずれか一項に記載の筐体構造。
＜請求項７＞
前記ケースには、前記無線通信装置を前記ケース外部から操作するための入力部材が設けられることを特徴とする請求項１から６のいずれか一項に記載の筐体構造。
＜請求項８＞
前記ケースには、前記無線通信装置の形状に対応し、前記アンテナ部材の位置を前記ケース内に固定するための固定部材が設けられることを特徴とする請求項５から７のいずれか一項に記載の筐体構造。
＜請求項９＞
前記無線通信装置、及び前記第二の無線通信装置は、操作部をそれぞれ有するとともに、いずれか一方が撮像部を有して、他方が表示部を有することを特徴とする請求項３から８のいずれか一項に記載の筐体構造。
＜請求項１０＞
前記ケースには、前記ケース内部への浸水を防ぐ防水機構が設けられることを特徴とする請求項１から９のいずれか一項に記載の筐体構造。
＜請求項１１＞
前記伝播部材は、前記第一の通信部材と前記第二の通信部材の少なくとも一方と着脱可能に構成されることを特徴とする請求項１から１０のいずれか一項に記載の筐体構造。
＜請求項１２＞
前記伝播部材は、導線、ケーブル、または金属棒状部材のいずれかを含むことを特徴とする請求項１から１１のいずれか一項に記載の筐体構造。
＜請求項１３＞
前記第一の通信部材、及び前記第二の通信部材は、複数の周波数に対応可能なパターンアンテナを含むことを特徴とする請求項１から３のいずれか一項に記載の筐体構造。
＜請求項１４＞
前記無線通信装置と前記第二の無線通信装置は、操作部材と被操作部材の関係となるように構成されることを特徴とする請求項３から１３のいずれか一項に記載の筐体構造。
＜請求項１５＞
請求項１から１４のいずれか一項に記載の筐体構造を備えることを特徴とする通信装置。
【符号の説明】
【００４１】
２    撮像装置（第一の無線通信装置）
２１  レンズ部（撮像部）
２２  電源ボタン（操作部）
２３  シャッターボタン（操作部）
２４  動画開始／終了ボタン（操作部）
２５  接続解除ボタン（操作部）
２６  動作確認ＬＥＤランプ
２７  アンテナ部材
３    操作装置（第二の無線通信装置；外部装置）
３１  表示部
３２  電源ボタン（操作部）
３３  シャッターボタン（操作部）
３４  動画開始／終了ボタン（操作部）
３５  接続解除ボタン（操作部）
３６  入力部
３７  アンテナ部材
４    ヒンジ結合部材
４１  リング状カバー
４２  差し込み部材
４３  固定用スリット
１００  伝播部材
１２１  コネクタ
１３１  コネクタ
２００  防水ケース（第一のケース）
２１０  フロントケース
２１１  透明板
２１２  ボタン台
２１３  三脚取付台
２１４  三脚取付用ネジ穴
２１５  突条部（固定部材）
２１６  環状突部（固定部材）
２１７  環状突部（固定部材）
２１９  マーク
２２２  電源ボタン（入力部材）
２２３  シャッターボタン（入力部材）
２２４  動画開始／終了ボタン（入力部材）
２２５  接続解除ボタン
２２６  動作確認ＬＥＤランプ用窓
２３０  リアケース
２３１  ロックレバー
２３２  中央突部（固定部材）
２３３  アンテナ部材（第一の通信部材）
２４１  装着部材
２４３  ガイド（保護部材）
２４５  フック（保護部材）
２５０  アンテナ付きリアケース
３００  アンテナケース（第二のケース）
３０１  アンテナ部材（第二の通信部材）
３０３  差し込み部材
３１１  装着部材
３１３  ガイド（保護部材）
３１５  フック（保護部材）
３１７  フック
【図１】
2017011543.tif 000003
【図２】
2017011543.tif 000004
【図３】
2017011543.tif 000005
【図４】
2017011543.tif 000006
【図５】
2017011543.tif 000007
【図６】
2017011543.tif 000008
【図７】
2017011543.tif 000009
【図８】
2017011543.tif 000010